(57)【要約】【課題】本発明は、水のかかる条件下の上面に起立状態で突設された突出体と、前記上面との接続部にカビが発生するのを防止することのできる防カビ具を提供することを課題とする。【解決手段】水のかかる条件下の上面（２）と、該上面（２）に起立状態で突設された突出体（３）との接続部（４）におけるカビの発生を防止する防カビ具であって、吸水性を有する紐状体（１１）で構成され、該紐状体（１１）は、前記接続部（４）の突出体（３）に巻き掛け可能に構成されるとともに、前記突出体（３）に巻き掛けた際に、少なくとも一部（１２）が前記上面（２）の端縁から延出可能に構成されてなることを特徴とする。【選択図】　　　　　図１
2004141535.tif 000002
【特許請求の範囲】
【請求項１】
水のかかる条件下の上面（２）と、該上面（２）に起立状態で突設された突出体（３）との接続部（４）におけるカビの発生を防止する防カビ具であって、吸水性を有する紐状体（１１）で構成され、該紐状体（１１）は、前記接続部（４）の突出体（３）に巻き掛け可能に構成されるとともに、前記突出体（３）に巻き掛けた際に、少なくとも一部（１２）が前記上面（２）の端縁から延出可能に構成されてなることを特徴とする防カビ具。
【請求項２】
前記紐状体（１１）を前記接続部（４）の突出体（３）に巻き掛けた際に、前記紐状体（１１）の前記一部（１２）に取り付けられる錘（１３）を更に備えてなり、該錘（１３）が陽イオンを溶出する金属からなる請求項１記載の防カビ具。
【発明の詳細な説明】
【０００１】
【発明の属する技術分野】
本発明は、台所、洗面所、トイレなどに設けられた吐水管やハンドルなどの突出体と、該突出体が突設された上面との接続部でのカビの発生を防止する防カビ具に関する。
【０００２】
【従来の技術】
従来から、台所、洗面所、トイレ等に設置される水栓器具は、一般的に、水を吐出する吐水管や、該吐水管からの吐出流量を調整するハンドル等を備えている。
【０００３】
前記吐水管は、一端開口部が各建物等に配管された給水管に接続された状態で、排水管の接続された槽を形成する壁面に対して交差方向の上面に起立状態で突設され、水を吐出する他端開口（吐水口）が前記槽内部と対向するように形状設定されているのが一般的であり、ハンドルについては前記上面に起立状態で突設されたものがある。このように設置された水栓器具は、ハンドルを操作することで、吐水口から水が槽内部に吐出されることとなり、吐出した水が槽の外部に出ることなく、水を槽に溜めたり、槽を介して排水したりすることができる。
【０００４】
【発明が解決しようとする課題】
しかしながら、吐水管の吐水口から吐出される水の流量は、ハンドルの操作量によって変化するものであり、吐水口から勢い良く水が吐出すると、該水が槽の壁面や底面で跳ね返り、吐水管を突設した上面に到達する場合がある。また、吐水口から水を吐出させながら手や物などを洗う場合、手や物が吐水管の吐水口近傍に位置することが多く、吐水口からの水が手や物等で跳ね返り、該水が不用意に上面にかかってしまうことが多々ある。
【０００５】
そのため、前記上面に掛かった水をタオルなどで拭き取るのが一般的であるが、前記上面と、該上面に突設した吐水管やハンドル等の部材（以下、総称して突出体という）との接続部は、凹状の角部を形成しているため、該接続部近傍に及んだ水を完全に拭き取ることができない場合が多々あり、そのよう状態を長期に放置すると、前記接続部にカビが発生してしまい不衛生な状態になるといった問題があった。
【０００６】
そこで、本発明は、斯かる実情に鑑み、水のかかる条件下の上面に起立状態で突設された突出体と、前記上面との接続部にカビが発生するのを防止することのできる防カビ具を提供することを課題とする。
【０００７】
【課題を解決するための手段】
本発明にかかる防カビ具は、請求項１記載の如く、水のかかる条件下の上面２と、該上面２に起立状態で突設された突出体３との接続部４におけるカビの発生を防止する防カビ具であって、吸水性を有する紐状体１１で構成され、該紐状体１１は、前記接続部４の突出体３に巻き掛け可能に構成されるとともに、前記突出体３に巻き掛けた際に、少なくとも一部１２が前記上面２の端縁から延出可能に構成されてなることを特徴とする。なお、ここで巻き掛けとは、突出体３の外周の一部に巻き掛ける態様の他に、突出体３の全周に巻き付ける態様も含む概念であり、紐状とは、両端が自由端になっているものや、該両端同士が接続されてループをなしたもの等も含むものである。
【０００８】
上記防カビ具によれば、吸水性を有するとともに、突出体３に巻き掛け可能な紐状体１１で構成されているので、接続部４における突出体３に巻き掛ければ、上面２と接続管との接続部４近傍の水を吸水することができる。その上、該防カビ具は、紐状体１１を前記接続部４の突出体３に巻き掛けた状態で、少なくとも一部１２が上面２の端縁から延出し得るように構成されているので、紐状体１１の内部が、吸水した水で飽和状態となった際に、紐状体１１の外周面と前記上面２で形成される角部に吸い寄せられてきた水の表面張力によって周辺の水が引き寄せられ、それらの水が前記角部に沿うように上面の端縁から延出した前記一部１２側に向けて流れることとなり、最終的には、上面２の端縁から下方に向けて垂れ流れるようになる。また、紐状体１１は、吸水性を有しているので、内部に狭小隙間が多数形成されており、該紐状体１１の実体的な表面積が非常に大きく、これにより短期で内部の水分を乾燥させることができる。
【０００９】
また、繊維組織を束ねて長手方向に狭小隙間を形成したり、縒り紐状に長手方向に狭小隙間を形成したりするように、紐状体１１を構成すれば、その狭小隙間の形成方向（長手方向）に毛細管現象が生じるので、紐状体１１の吸水性能をいっそう高めることができ、しかも吸水した水を上面２から延出した一部１２に向けて流動させ、該一部１２からも吸水した水を垂れ落とすこともできる。
【００１０】
したがって、上面２と突出体３との接続部４に水（水分）が溜まることがなく、該接続部４でカビが発生するのを防止することができ衛生的である。
【００１１】
また、請求項２記載の如く、前記紐状体１１を前記接続部４の突出体３に巻き掛けた際に、前記紐状体１１の前記一部１２に取り付けられる錘１３を更に備えてなり、該錘１３が陽イオンを溶出する金属からなってもよい。このようにすれば、上述の如く、紐状体１１を接続部４の突出体３に巻き掛けることで、錘１３の重さによって紐状体１１の一部１２が上面２より下方に位置することとなり、吸水した水を一部１２から円滑に垂らすことができる。また、紐状体１１の吸水した水が前記一部１２側に流動して錘１３を濡らすこととなり、該水によって錘１３から陽イオンが溶出することとなる。そうすると、該陽イオンが、陰イオンの帯電している細菌に引き寄せられることとなり、細菌のイオンバランスが崩れ、最終的は細菌が死滅することとなる。これにより、上面２と突出体３との接続部４をいっそう衛生的にすることができる。
【００１２】
【発明の実施の形態】
以下、本発明の一実施形態にかかる防カビ具について、添付図面を参照しつつ説明する。
【００１３】
本実施形態にかかる防カビ具は、図１に示す如く、槽Ａを形成する壁面１に対して交差方向に形成された上面２に起立状態で突設された一般的な吐水管３（突出体）と前記上面２との接続部４や、前記上面２に起立状態で突設され、前記吐水管３からの水の吐水流量を調整するハンドル５（突出体）と、前記上面２との接続部４に取り付けるものである。なお、本実施形態においては、上面２と吐水管３との接続部４に取り付ける場合を一例にして説明する。
【００１４】
前記防カビ具１０の説明に入る前に、吐水管３、及びハンドル５について概略説明すると、前記吐水管３は、水Ｗを供給する水給水管（図示しない）、及び湯を供給する湯供給管（図示しない）に接続した弁機構（図示しない）に対して、軸周りに回転可能に一端開口部（図示しない）が接続されており、水Ｗを吐出する他端開口（吐水口６）が槽Ａの上部開口領域内に位置するように、湾曲状に形状設定されている。また、前記上面２には、弁機構の開閉等の操作を行う一対のハンドル５（一方が水吐出用、他方が湯吐出用）が、前記吐水管３を介在させた状態で並列に設けられている。
【００１５】
前記防カビ具１０は、吸水性を有する紐状体１１と、該紐状体１１の端部１２（一部）に取り付ける錘１３とで構成されている。
【００１６】
該紐状体１１は、吸水性を有する短冊状の紙を縒って形成された細紐状体を複数本更に縒り合わせ、長手方向に狭小隙間を形成したものである。該紐状体１１は、前記吐水管３に巻き付けた（巻き掛けた）状態で、両端部１２，１２が前記壁面１（上面２の端縁）から延出可能な長さに設定されている。具体的には、紐状体１１は、前記上面２と略当接するように吐水管３の外周面の一部に巻き掛けた状態で、壁面１から槽Ａ内部側に延出した各端部１２，１２が壁面１に沿うように、折り曲げ得る長さに設定されている。
【００１７】
前記錘１３は、水Ｗによって濡れることで陽イオンを溶出する金属で構成されており、前記紐状体１１の両端部１２，１２同士を連結し得るように構成されている。具体的には、該錘１３は、紐状体１１の両端部１２，１２を挿通し得る内径に設定された筒状体に形状設定されており、径方向に変形（かしめ）可能な肉厚に設定されている。また、該錘１３に採用する金属としては、銅や銀等があるが、コスト的な観点より、銅を採用することが好ましい。
【００１８】
上記構成の防カビ具１０を吐水管３に取り付けるには、まず、紐状体１１の両端部１２，１２が前記壁面１側に位置し、且つ吐水管３における上面２との接続部４（吐水管３と上面２とで形成した角部）に沿うように、紐状体１１の長さ方向の略中央部を吐水管３に巻き掛ける。そして、紐状体１１の両端部１２，１２（紐状体１１の一部）を錘１３に挿通し、該錘１３をかしめる（変形させる）と、紐状体１１の両端部１２，１２同士が連結される。そして、錘１３の重さにより、紐状体１１の端部１２（一部）が上面２より下方に垂下するように、上面２と壁面１とで形成された角部の形状に沿って紐状体１１が折れ曲がった状態となり、紐状体１１の取り付けが完了する。
【００１９】
そして、防カビ具１０が取り付けられた状態で、吐水管３から水Ｗを吐出させ、洗浄の対象物や手などを洗うことで不用意に水Ｗが上面２に掛かってしまった場合、吐水管３と上面２との接続部４近傍の水Ｗが、紐状体１１によって吸水され、該吸水した水Ｗが長手方向に形成された狭小隙間による毛細管現象で端部１２側に流動し、端部１２に到達した水Ｗが槽Ａ内に落下することとなる。
【００２０】
そして、紐状体１１内部が吸水した水Ｗで飽和状態になると、紐状体１１の外周面と上面２とで形成する凹状の角部（接続部４）に位置した水Ｗの表面張力が大きくなり、接続部４近傍の上面２上の水Ｗが紐状体１１側に引き寄せられるとともに、表面張力の大きくなった角部の水Ｗが、角部（紐状体１１の長手方向）に沿って壁面１側に流動し、最終的には、壁面１を伝って槽Ａ内に垂れ落ちることとなり、吐水管３近傍の水Ｗが吸収されることとなる。
【００２１】
そして、紐状体１１が吸水した水Ｗにより、端部１２に取り付けた錘１３から陽イオンが溶出し、該陽イオンが、陰イオンの帯電する細菌に引き寄せられ、最終的に、細菌の電気的なバランスが崩れて細菌の細胞膜が破れ、無数に存在した細菌が死滅することとなる。
【００２２】
そして、接続部４近傍の水Ｗを吸水した紐状体１１は、吸水性を有する紙で構成されるとともに、複数の細紐状体を縒って形成されているので、実体的な表面積が大きく、この状態で放置すると、内部の水Ｗが短期で乾燥することとなる。
【００２３】
以上構成の防カビ具１０によれば、紐状体１１が吸水性を有するとともに、吐水管３に巻き付けた際に、両端部１２，１２が槽Ａを形成する壁面１から延出し得る長さに設定されたので、水Ｗを吐出する吐水管３と、該吐水管３が突設された上面２との接続部４近傍に位置する水Ｗを紐状体１１で効率良く吸水して排出することができ、しかも紐状体１１内の水Ｗを短期に乾燥させることができる。これにより、前記接続部４に長時間水分が存在することがなく、該接続部４にカビが発生するのを防止することができ、衛生的な環境を提供することができる。
【００２４】
また、紐状体１１の端部１２に錘１３を取り付け、紐状体１１を吐水管３に取り付けた際に、紐状体１１の端部１２が上面２より下方に位置するようにしたので、水Ｗを迅速且つ効率的に垂れ落とすことができる。
【００２５】
また、紐状体１１の両端部１２，１２を連結する錘１３を、紐状体１１の吸水した水Ｗによって陽イオンを溶出する金属で構成したので、細菌を効率良く、確実に死滅させて細菌の繁殖を防止することができ、衛生的な環境を提供することができる。
【００２６】
尚、本発明の防カビ具１０は、上記実施形態に限定されるものではなく、本発明の要旨を逸脱しない範囲内において種々変更を加え得ることは勿論である。
【００２７】
本実施形態において、前記紐状体１１を所定長さに設定された両端が自由端のものを採用したが、これに限定されるものではなく、例えば、本実施形態と同様の紐状体１１の両端同士を予め接続してループ状に形成したものであってもよい。この場合、吐水管３やハンドル５等に巻き掛けた際に、該ループ状をなす紐状体の一部が前記上面の端縁から延出するように構成すればよい。つまり、ループ状をなす紐状体１１は、これらの全周に巻き付けたり、外周の一部に引っ掛けたりした場合に、一部が上面２の端縁（壁面１）から延出するように周長設定すればよい。この場合、錘１３は、上面２の端縁から延出することとなる紐状体１１の一部に取り付ければよい。
【００２８】
本実施形態において、防カビ具を接続部４における吐水管３に取り付けたが、これに限定されるものではなく、防カビ具１０は、上面２に突設されたハンドル５と前記上面２との接続部４にも、本実施形態と同様に取り付けることができる。また、吐水管３やハンドル５以外にも、例えば、吐水管３の接続された弁機構が、前記上面２に起立状態で突設された場合には、本実施形態と同様の防カビ具を、上面２と弁機構との接続部（角部）に取り付けることができる。つまり、水の掛かる条件下にある上面２に突設された突出体と、上面との接続部に取り付ければ本実施形態と同様に作用、効果を奏することができる。
【００２９】
本実施形態において、紐状体１１を吐水管３に巻き付けた際に、両端部１２，１２が上面２より下方に位置するように、紐状体１１の長さを設定したが、これに限定されるものではなく、紐状体１１は、吐水管３に巻き付けた状態で、両端部１２，１２が上面２の端縁から延出する長さに設定されていれば、上面２に掛かった水Ｗを槽Ａに向けて垂れ流すことができる。
【００３０】
また、本実施形態において、接続部４における吐水管３の外周面の一部に巻き付け、紐状体１１の両端部１２，１２が上面２の端縁から延出するようにしたが、これに限定されるものではなく、例えば、一方の端部１２が上面２の端縁から延出するように、該紐状体１１を上面２に当接させた状態で接続部４における吐水管３の全周に巻き付けるようにしてもよい。この場合においても、本実施形態と同様の作用が生じて、吸水した水Ｗや、紐状体１１の外周面と上面２とで形成した角部に位置する水Ｗを、上面２の端縁から延出した端部１２に向けて流動させることができる。
【００３１】
紐状体１１は、接続部４における吐水管３の外周面の一部に巻き付ける（巻き掛ける）ようにしたが、これに限定されるものではなく、配水管の外周の全周に巻き付けるようにしてもよい。この場合においては、紐状体１１の少なくとも何れか一方の端部１２が上面２の端縁から延出するように長さ設定すればよい。
【００３２】
本実施形態において、紐状体１１を短冊状の紙を縒った複数の細紐状体同士を縒り合わせて形成したが、これに限定されるものではなく、例えば、本実施形態における紐状体１１の外形と略同等の外形となるように、一枚の紙を縒ったものであってもよい。この場合にあっても、紙を縒ることで、長手方向に狭小隙間を形成することができる。
【００３３】
本実施形態において、紐状体１１を紙で構成したが、これに限定されるものではなく、紐状体１１は吸水性を有する材質を採用すればよい。この材質としては、例えば、繊維や、該繊維により織られた生地や不織布等であってもよい。
【００３４】
本実施形態において、紐状体１１を単一な材料（紙）で構成したが、これに限定されるものではなく、例えば、線状の芯体に対して吸水性を有する素材で被覆したり、巻き付けたりしたものであってもよい。この芯体としては、可撓性を有するゴム、樹脂、或いは変形可能な針金等であってもよい。この芯体が可撓性を有するものである場合には、紐状体１１の両端部１２，１２が上面２の端縁から延出し得るように、該両端部１２，１２を前記錘１３等で連結することが好ましい。
【００３５】
一方、芯体が変形可能、且つ該変形後の形状が維持できるものである場合には、必ずしも紐状体１１の両端部１２，１２同士を錘１３等で連結する必要はなく、両端部１２，１２が上面２の端縁から延出し得るように、紐状体１１（芯体）を変形させて形状設定すればよい。この場合、芯体を銅線等の水Ｗに濡れることで陽イオンを溶出する金属で構成することが好ましい。このようにすれば、錘１３を設けることなく、芯体から溶出する陽イオンにより殺菌作用を得ることができるとともに、紐状体１１を所定形状に維持させることができる。
【００３６】
本実施形態において、紐状体１１の両端部１２，１２を連結すべく、錘１３を変形可能な筒状体で構成したが、これに限定されるものではなく、例えば、錘１３を折り曲げ可能な帯状、或いは線状の金属（銅線など）で構成し、当該錘１３で紐状体１１の両端部１２，１２同士を括るようにしてもよい。
【００３７】
【発明の効果】
以上、説明したように本発明にかかる防カビ具によれば、吸水性を有する紐状体で構成され、該紐状体は、上面との接続部の突出体に巻き掛け可能に構成されるとともに、前記突出体に巻き掛けた際に、少なくとも一部が前記上面の端縁から延出可能に構成されているので、上面に位置する水を上面の端縁に向けて導いて除去するとともに、紐状体内に水分を短期に乾燥させることができ、突出体が突設される上面を衛生的にし、カビの発生を防止することができる。
【図面の簡単な説明】
【図１】本発明の一実施形態の防カビ具を吐水管に取り付けた状態の斜視図を示す。
【符号の説明】
１…壁面、２…上面、３…吐水管（突出体）、４…接続部、５…ハンドル（突出体）、６…吐水口、１０…防カビ具、１１…紐状体、１２…端部（一部）、１３…錘、Ａ…槽、Ｗ…水
【図１】
2004141535.tif 000003